(57)【要約】【課題】電線との接続部分における電食の発生を防止することが可能な端子金具を提供する。【解決手段】被覆電線４０における露出された芯線４２の端末を圧着するワイヤバレル３１と、前記ワイヤバレル３１の後方にあって前記被覆電線４０を固定するインシュレーションバレル３２と、前記ワイヤバレル３１と前記インシュレーションバレル３２とを連結する連結部３３と、を有する端子金具１０であって、前記連結部３３のうち前記被覆電線４０に接する側の面には、前記被覆電線４０の軸線方向と交差する方向に沿って延び、少なくともその一方の端部が前記連結部３３の側縁において開口する防食剤導入溝３６が形成されていることを特徴とする。【選択図】図３
2011192530.tif 000002
【特許請求の範囲】
【請求項１】
被覆電線における露出された芯線の端末を圧着するワイヤバレルと、前記ワイヤバレルの後方にあって前記被覆電線を固定するインシュレーションバレルと、前記ワイヤバレルと前記インシュレーションバレルとを連結する連結部と、を有する端子金具であって、
前記連結部のうち前記被覆電線に接する側の面には、前記被覆電線の軸線方向と交差する方向に沿って延び、少なくともその一方の端部が前記連結部の側縁において開口する防食剤導入溝が形成されていることを特徴とする端子金具。
【請求項２】
前記防食剤導入溝は、その両端部が前記連結部の両側縁において開口していることを特徴とする請求項１に記載の端子金具。
【請求項３】
前記インシュレーションバレルのうち前記被覆電線に接する側の面には、前記被覆電線の軸線方向と交差する方向に沿って延び、少なくともその一方の端部が前記インシュレーションバレルの側縁において開口する防食剤導入補助溝が形成されていることを特徴とする請求項１又は請求項２に記載の端子金具。
【請求項４】
前記防食剤導入補助溝は、その両端部が前記インシュレーションバレルの両側縁において開口していることを特徴とする請求項３に記載の端子金具。
【請求項５】
前記連結部及び前記インシュレーションバレルには、前記防食剤導入溝と前記防食剤導入補助溝とを連結する連結溝が延設されていることを特徴とする請求項３又は請求項４に記載の端子金具。
【請求項６】
芯線を被覆で覆った被覆電線における前記芯線の端末に、請求項１ないし請求項５のいずれか１項に記載の端子金具が圧着されてなることを特徴とする端子金具付き電線。
【請求項７】
前記芯線はアルミニウム又はアルミニウム合金からなり、前記端子金具は銅又は銅合金からなることを特徴とする請求項６に記載の端子金具付き電線。
【発明の詳細な説明】
【技術分野】
【０００１】
本発明は、電線と接続される端子金具、及び端子金具付き電線に関する。
【背景技術】
【０００２】
従来、電線の端末に接続される端子金具として、例えば下記特許文献１に記載の端子金具が知られている。この端子金具は、相手側導体と接続される本体部を有し、この本体部の後方に、被覆電線における芯線の端末を圧着し固定する圧着部が設けられている。
【０００３】
ところで、被覆電線を端子金具に導通接続させるにあたり、被覆電線の芯線と端子金具とが異種の金属によって形成されている場合には、両者の接触部分に水分が介在すると、両金属が水中にイオンとして溶け込んで電気化学的反応により腐食が進行する電食が発生することが知られている。このような電食の発生を抑制するために、特許文献１に開示の端子金具では、圧着部と被覆電線との間に防水性封止剤（防食剤）が充填され水密構造となるものとされている。
【先行技術文献】
【特許文献】
【０００４】
【特許文献１】特開２００５−３３９８５０号公報
【発明の概要】
【発明が解決しようとする課題】
【０００５】
しかしながら、端子金具の圧着部で被覆電線を加締めて通電接続する構成の場合には、圧着部を被覆電線及び芯線の外周部に完全に倣う形に変形させることは困難である。すなわち、略円形断面を有する被覆電線及び芯線に対し、圧着部は略四角形状又は略Ｕ字状断面を有するものとなる。したがって、被覆電線及び芯線の左右の直径方向では被覆電線及び芯線の外周部と圧着部の側壁部とが密着する一方、圧着部の底壁部の両端、つまり屈曲部と、被覆電線及び芯線の外周部との間には隙間が形成されることとなる。その結果、端子金具の上方から滴下又は散布する防食剤が、圧着部と、被覆電線及び芯線との間の隙間に浸入し難いという課題があった。
【０００６】
本発明は上記のような事情に基づいて完成されたものであって、電線との接続部分における電食の発生を防止することが可能な端子金具を提供することを目的とする。また、本発明は、そのような端子金具が接続された端子金具付き電線を提供することを目的とする。
【課題を解決するための手段】
【０００７】
上記課題を解決するために、本発明の端子金具は、被覆電線における露出された芯線の端末を圧着するワイヤバレルと、前記ワイヤバレルの後方にあって前記被覆電線を固定するインシュレーションバレルと、前記ワイヤバレルと前記インシュレーションバレルとを連結する連結部と、を有する端子金具であって、前記連結部のうち前記被覆電線に接する側の面には、前記被覆電線の軸線方向と交差する方向に沿って延び、少なくともその一方の端部が前記連結部の側縁において開口する防食剤導入溝が形成されていることを特徴とする。
【０００８】
このような構成によれば、端子金具に被覆電線を加締め固定した後に防食剤を塗布した際、防食剤は連結部において防食剤導入溝の開口から浸入する。ここで、被覆電線が端子金具の連結部に密着していても、防食剤は防食剤導入溝を通じて連結部における被覆電線の下に回り込むことが可能となる。そして、浸入した防食剤は防食剤導入溝内を満たし、被覆電線の軸線方向と交差する方向、すなわち被覆電線の外周部を包み込む形で、当該防食剤導入溝に沿って防食壁を形成することとなる。さらに、連結部と被覆電線との間に一部隙間があっても、防食剤導入溝から溢出した防食剤が当該隙間に充填される。このようにして、被覆電線と連結部（の防食剤導入溝）との間に防食剤を確実に充填させることができるため、インシュレーションバレル側からワイヤバレル側への水分の浸入を抑止し、電食の発生を防止することが可能となる。
【０００９】
また、前記防食剤導入溝は、その両端部が前記連結部の両側縁において開口しているものとすることができる。
このように防食剤導入溝の両端部に開口を設けることにより、防食剤を防食剤導入溝へより良好に浸入させることが可能となる。
【００１０】
また、前記インシュレーションバレルのうち前記被覆電線に接する側の面には、前記被覆電線の軸線方向と交差する方向に沿って延び、少なくともその一方の端部が前記インシュレーションバレルの側縁において開口する防食剤導入補助溝が形成されているものとすることができる。
【００１１】
このような構成によれば、端子金具に被覆電線を加締め固定した後に防食剤を塗布した際、防食剤はインシュレーションバレルにおいて防食剤導入補助溝の開口から浸入する。ここで、被覆電線が端子金具のインシュレーションバレルに密着していても、防食剤は防食剤導入補助溝を通じてインシュレーションバレルにおける被覆電線の下に回り込むことが可能となる。そして、防食剤は防食剤導入補助溝内を満たし、被覆電線の軸線方向と交差する方向、すなわち被覆電線の外周部を包み込む形で、当該防食剤導入補助溝に沿って防食壁を形成することとなる。さらに、インシュレーションバレルと被覆電線との間に一部隙間があっても、防食剤導入補助溝から溢出した防食剤が当該隙間に充填される。このようにして、被覆電線とインシュレーションバレル（の防食剤導入補助溝）との間に防食剤を確実に充填させることができるため、防食剤導入溝に形成された防食壁と併せて、インシュレーションバレル側からワイヤバレル側への水分の浸入を確実に抑止し、電食の発生を防止することが可能となる。
【００１２】
また、前記防食剤導入補助溝は、その両端部が前記インシュレーションバレルの両側縁において開口しているものとすることができる。
このように防食剤導入補助溝の両端部に開口を設けることにより、防食剤を防食剤導入補助溝へより良好に浸入させることが可能となる。
【００１３】
また、前記連結部及び前記インシュレーションバレルには、前記防食剤導入溝と前記防食剤導入補助溝とを連結する連結溝が延設されているものとすることができる。
端子金具に防食剤を塗布した際に、防食剤が防食剤導入溝及び防食剤導入補助溝のどちらか一方にしか良好に浸入しない場合も生じ得る。しかしながら、上記構成によれば、防食剤導入溝及び防食剤導入補助溝のどちらか一方に浸入した防食剤を、連結溝を通じて、防食剤導入溝から防食剤導入補助溝へ、又は防食剤導入補助溝から防食剤導入溝へと行き渡らせることが可能となる。その結果、連結部及びインシュレーションバレルと、被覆電線との間に防食剤を確実に充填させることが可能となる。
【００１４】
また、本発明は、芯線を被覆で覆った被覆電線における前記芯線の端末に、上記いずれかの端子金具が圧着されてなる端子金具付き電線とすることができる。
このような端子金具付き電線を用いれば、電食の発生が防止され、長期間に亘って良好に使用することが可能となる。
【００１５】
また、前記芯線はアルミニウム又はアルミニウム合金からなり、前記端子金具は銅又は銅合金からなるものとすることができる。
このように、芯線をアルミニウム又はアルミニウム合金からなるものとすることにより、端子金具付き電線全体としての軽量化を図ることが可能となる。また、端子金具を銅又は銅合金からなるものとすることにより、アルミニウム製とする場合に比して強度が高く、被覆電線を強固に固定することが可能となる。さらに、芯線と端子金具とが異種金属により構成される場合には、電食が発生し易い。したがって、本発明の各々の溝部が、電食の発生を防止するのに一層効果を発揮する。
【発明の効果】
【００１６】
本発明によれば、端子金具と電線との接触部分における電食の発生を防止することが可能となる。
【図面の簡単な説明】
【００１７】
【図１】本発明の実施形態１に係る端子金具の構成を示す斜視図
【図２】端子金具の側面図
【図３】端子金具の側方断面図
【図４】端子金具のワイヤバレル、連結部、及びインシュレーションバレルが展開された状態を示す平面図
【図５】図３の端子金具のＡ−Ａ線断面図
【図６】図３の端子金具のＢ−Ｂ線断面図
【図７】図３の端子金具のＣ−Ｃ線断面図
【図８】図３の端子金具のＤ−Ｄ線断面図
【図９】従来例における端子金具の連結部の断面図
【図１０】本発明の実施形態２に係る端子金具の構成を示す斜視図
【図１１】端子金具の側面図
【図１２】端子金具の上面図
【発明を実施するための形態】
【００１８】
＜実施形態１＞
本発明の実施形態１を図１ないし図８の図面を参照しながら説明する。本実施形態における端子金具１０は、銅合金製とされており、図１及び図２に示すように、角筒形状をなす本体部２０と、本体部２０の後方に形成された圧着部３０とを備えている。圧着部３０に被覆電線４０の端末が圧着されることにより、全体として端子金具付き電線５０を構成している。この圧着部３０、及び被覆電線４０のうち当該圧着部３０に固定されている部位には、防食剤６０が塗布されている。当該防食剤６０は、被覆電線４０が圧着部３０に加締め固定された後に、端子金具１０の上方から原液状態で滴下又は散布され、所定時間放置することにより固化される。なお、本実施形態では端子金具１０として本体部２０を有する雌端子金具を例示しているものの、例えばタブ状をなす雄端子金具としてもよい。
【００１９】
被覆電線４０はアルミ電線であって、複数本の金属素線４１が撚り合わされてなる芯線４２を絶縁性の合成樹脂からなる絶縁被覆（被覆）４３で覆った構成である。金属素線４１は、銅、銅合金、アルミニウム、またはアルミニウム合金など任意の金属を用いることができる。なお、本実施形態の金属素線４１は、アルミニウム合金によって構成されている。
【００２０】
本体部２０は、底面部２２と、底面部２２の両側縁から立ち上がる一対の側面部２３と、一方の側面部２３の上縁から他方の側面部２３の上縁に向けて互いに折り曲げることにより二重に形成された天井部２４とを備えている。
【００２１】
本体部２０の内部には、図３に示すように、弾性変位可能な弾性接触片２１が本体部２０の底面部２２の前縁からの折り返しによって形成されている。本体部２０の内部において弾性接触片２１と対向する対向面（天井部２４の下面２４Ａ）と弾性接触片２１との間には、タブ状をなす相手側導体（図示せず）が挿入可能となっている。
【００２２】
弾性接触片２１と天井部２４の下面２４Ａとの間の距離は、相手側導体の板厚より小さいものとされている。このため、相手側導体が弾性接触片２１と天井部２４の下面２４ａとの間に挿入されると、弾性接触片２１が下方に撓みつつ挿入が進行し、相手側導体と弾性接触片２１とは弾性的に接触し電気的に接続される。
【００２３】
圧着部３０は、図１ないし図３に示すように、被覆電線４０の芯線４２の端末が圧着されるワイヤバレル３１と、ワイヤバレル３１の後方に配置され被覆電線４０の絶縁被覆４３が固定されるインシュレーションバレル３２と、ワイヤバレル３１とインシュレーションバレル３２とを連結する連結部３３とを備えている。ワイヤバレル３１、連結部３３、及びインシュレーションバレル３２は、図４に示すように、本体部２０の底面部２２と連続して前後方向（被覆電線４０の軸線方向）に延びる底壁３４を有し、それぞれの底壁３４の両側縁から延びる加締め片３１Ａ，加締め片３２Ａ，及び側壁３３Ａを備えて構成されている。
【００２４】
ワイヤバレル３１は、図１ないし図３に示すように、底壁３４の前後方向に沿って芯線４２の端末を配置し、一対の加締め片３１Ａによって芯線４２の端末を加締めることにより芯線４２を圧着することができる。図５は、圧着状態におけるワイヤバレル３１の断面構成を示した図であり、芯線４２が両加締め片３１Ａ及び底壁３４の内面と導通可能に接触することで、芯線４２とワイヤバレル３１とが電気的に接続される。本実施形態では、ワイヤバレル３１の両加締め片３１Ａの側縁を突き合わせつつ、芯線４２の端末の外周を左右両側から抱き込むようにした、所謂ハート型加締めを採用している。なお、ワイヤバレル３１は、被覆電線４０を圧着する前の展開常態においては、図４に示すように、左右方向（前後方向と直交する方向）に長い矩形状をなしている。
【００２５】
インシュレーションバレル３２は、図１から図３に示すように、底壁３４の前後方向に沿って被覆電線４０の絶縁被覆４３を配置し、両加締め片３２Ａによって絶縁被覆４３を加締めることにより被覆電線４０をインシュレーションバレル３２に固定することができる。インシュレーションバレル３２は、被覆電線４０を圧着する前の展開常態においては、図４に示すように、左右方向（前後方向と直交する方向）に長い矩形状をなしている。図６は、圧着状態におけるインシュレーションバレル３２の断面構成を示した図である。図６に示すように、本実施形態では、インシュレーションバレル３２の両加締め片３２Ａがそれぞれの側縁を重ね合わせつつ、絶縁被覆４３の外周を左右両側から抱き込むようにした、所謂オーバラップ型加締めを採用している。
【００２６】
インシュレーションバレル３２のうち被覆電線４０と接する側の面には、図４及び図６に示すように、当該インシュレーションバレル３２の底壁３４及び加締め片３２Ａに亘って直線状（帯状）に連続して延びる防食剤導入補助溝３５が形成されている。防食剤導入補助溝３５は、被覆電線４０の軸線方向と略直交する方向に沿って延びており、その両端部にはインシュレーションバレル３２の両加締め片３１Ａの側縁に開口した開口部３５Ａを有している。防食剤導入補助溝３５は、底壁３４及び両加締め片３２Ａの厚さの約半分の深さとされており、略矩形状断面を有している（図３及び図６参照）。この防食剤導入補助溝３５は、インシュレーションバレル３２の該当部位を叩き潰したり、削り抜いたり、あるいは金型成形の際に予め窪んだ状態にするなどして形成することができる。防食剤導入補助溝３５には、図６に示すように、防食剤６０が充填されており、被覆電線４０の外周部を包み込む形で防食壁が形成されている。さらに、被覆電線４０の下側、すなわちインシュレーションバレル３２と被覆電線４０との間の隙間３２Ｂにも、防食剤導入補助溝３５から溢出した防食剤６０が充填されている。
【００２７】
上記したワイヤバレル３１とインシュレーションバレル３２とは連結部３３によってつながっている。図１から図３に示すように、連結部３３には、底壁３４の両側縁から立ち上がって絶縁被覆４３の外周部を左右両側から挟み込む一対の側壁３３Ａを有し、その断面形状は図７に示すように略Ｕ字状をなす。
【００２８】
連結部３３のうち被覆電線４０に接する側の面（より詳細には、絶縁被覆４３と接する面）には、図４及び図７に示すように、当該連結部３３の底壁３４及び側壁３３Ａに亘って直線状（帯状）に連続して延びる防食剤導入溝３６が形成されている。防食剤導入溝３６は、被覆電線４０の軸線方向と略直交する方向に沿って延びており、その両端部には連結部３３の両側壁３３Ａの側縁に開口した開口部３６Ａを有している。防食剤導入溝３６は、底壁３４及び両側壁３３Ａの厚さの約半分の深さとされており、略矩形状断面を有している（図３及び図７参照）。この防食剤導入溝３６は、上記した防食剤導入補助溝３５と同様の手法で形成することができる。防食剤導入溝３６には、図７に示すように、防食剤６０が充填されており、被覆電線４０の外周部を包み込む形で防食壁が形成されている。さらに、被覆電線４０の下側、すなわち連結部３３と被覆電線４０との間の隙間３３Ｂにも、防食剤導入溝３６から溢出した防食剤６０が充填されている。
【００２９】
インシュレーションバレル３２及び連結部３３の底壁３４には、図３及び図４に示すように、上記した防食剤導入溝３６と防食剤導入補助溝３５とを連結する連結溝３７が形成されている。連結溝３７は、底壁３４の左右方向の中央部に形成されており、その一方の端部が防食剤導入溝３６の延設方向の中央部と連結されており、他方の端部が防食剤導入補助溝３５の延設方向の中央部と連結されている。この連結溝３７は、被覆電線４０の軸線方向に沿って延設されている。すなわち、連結溝３７と、防食剤導入溝３６及び防食剤導入補助溝３５とは略垂直に繋がっている。連結溝３７は、図８に示すように、底壁３４の厚さの約半分の深さとされており、略矩形状断面を有している。連結溝３７には、防食剤導入溝３６又は防食剤導入補助溝３５から端子金具１０内に浸入した防食剤６０が充填されている。当該連結溝３７は、上記した防食剤導入溝３６及び防食剤導入補助溝３５と同様の手法で形成することができる。
【００３０】
本実施形態の端子金具１０は上記のような構成であり、続いてその作用効果について防食剤導入溝及び防食剤導入補助溝を有しない従来の端子金具と対比しつつ説明する。
従来の端子金具７０では、図９に示すように、被覆電線４０を加締め接続すると、被覆電線４０の左右の直径方向において、当該被覆電線４０の外周部と側壁７１Ａとの間に密着部７２が形成される。一方で、被覆電線４０は略円形状断面を有するのに対し、連結部７１の底壁７３及び側壁７１Ａは略平面状であって全体として略Ｕ字状断面を有している。したがって、連結部７１の底壁７３の角部と被覆電線４０との間には密閉された隙間７１Ｂが形成されることとなる。その結果、被覆電線４０を加締めた後に連結部７１に滴下又は散布された防食剤６０は、連結部７１及び被覆電線４０の上面側には堆積するものの、密着部７２により下方への浸入が抑止され、隙間７１Ｂには防食剤６０が充填されない。
【００３１】
そこで、本実施形態では、ワイヤバレル３１とインシュレーションバレル３２とを連結する連結部３３に防食剤導入溝３６を形成している。係る防食剤導入溝３６により、連結部３３と被覆電線４０との間に互いが直接密着しない帯状の領域を形成することが可能となる。これにより、防食剤６０は、防食剤導入溝３６の開口部３６Ａから浸入し、当該防食剤導入溝３６を通じて連結部３３における被覆電線４０の下に回り込むことが可能となる。防食剤導入溝３６は、被覆電線４０の軸線方向と略直交する方向に延びているため、防食剤導入溝３６を満たした防食剤６０は、被覆電線４０の外周部を包み込む形で、当該防食剤導入溝３６に沿って防食壁を形成する。さらに、連結部３３と被覆電線４０との間に一部隙間（図７中、３３Ｂで示す）があっても、防食剤導入溝３６から溢出した防食剤６０が当該隙間３３Ｂに充填される。このようにして、被覆電線４０と連結部３３（の防食剤導入溝３６）との間に防食剤６０を確実に充填させることができるため、インシュレーションバレル３２側からワイヤバレル３１側への水分の浸入を確実に抑止し、電食の発生を防止することが可能となる。
【００３２】
また、本実施形態では、防食剤導入溝３６は、その両端部が連結部３３の両側縁において開口しているため、防食剤６０を防食剤導入溝３６に良好に浸入させることが可能となる。
【００３３】
また、本実施形態では、インシュレーションバレル３２に防食剤導入補助溝３５を形成したため、被覆電線４０がインシュレーションバレル３２に密着していても、開口部３５Ａから浸入した防食剤６０が当該防食剤導入補助溝３５を通じてインシュレーションバレル３２における被覆電線４０の下に回り込むことが可能となる。防食剤導入補助溝３５は、被覆電線４０の軸線方向と略直交する方向に延びているため、防食剤導入補助溝３５を満たした防食剤６０は、被覆電線４０の外周部を包み込む形で、当該防食剤導入補助溝３５に沿って防食壁を形成する。さらに、インシュレーションバレル３２と被覆電線４０との間に一部隙間（図６中、３２Ｂで示す）があっても、防食剤導入補助溝３５から溢出した防食剤６０が当該隙間３２Ｂに充填される。このようにして、被覆電線４０とインシュレーションバレル３２（の防食剤導入補助溝３５）との間に防食剤６０を確実に充填させることができるため、インシュレーションバレル３２側からワイヤバレル３１側への水分の浸入を確実に抑止し、電食の発生を防止することが可能となる。
【００３４】
また、本実施形態では、防食剤導入補助溝３５は、その両端部がインシュレーションバレル３２の両側縁において開口しているため、防食剤６０を防食剤導入溝３６に良好に浸入させることが可能となる。
【００３５】
また、本実施形態では、防食剤導入溝３６と防食剤導入補助溝３５とを連結する連結溝３７が延設されているため、防食剤導入溝３６及び防食剤導入補助溝３５のどちらか一方に浸入した防食剤６０を、当該連結溝３７を通じて、防食剤導入溝３６から防食剤導入補助溝３５へ、又は防食剤導入補助溝３５から防食剤導入溝３６へと行き渡らせることが可能となる。その結果、連結部３３及びインシュレーションバレル３２と、被覆電線４０との間に防食剤６０を確実に充填させることが可能となる。
【００３６】
さらに、本実施形態に係る端子金具付き電線５０は、上記した端子金具１０が、芯線４２を絶縁被覆４３で覆った被覆電線４０における芯線４２の端末に圧着された構成とされているため、電食の発生が防止され、長期間に亘って良好に使用することが可能となる。
【００３７】
また、本実施形態では、芯線４２はアルミニウム合金からなり、端子金具１０は銅合金からなるものとされている。芯線４２をアルミニウム合金からなるものとすることにより、端子金具付き電線５０全体としての軽量化を図ることが可能となる。また、端子金具１０を銅合金からなるものとすることにより、アルミニウム製とする場合に比して強度が高く、被覆電線４０を強固に固定することが可能となる。さらに、芯線４２と端子金具１０とが異種金属により構成される場合には、電食が発生し易いものの、本実施形態に係る各々の溝３５，３６，３７により、電食の発生を防止することが可能となる。
【００３８】
＜実施形態２＞
次に、本発明の実施形態２を図１０ないし図１２の図面を参照しながら説明する。本実施形態の端子金具１１は、実施形態１の防食剤導入溝３６の構成を変更したものである。その他の重複する構造、作用、および効果については実施形態１と重複するため、その説明を省略する。
【００３９】
本実施形態に係る端子金具１１では、図１０ないし図１２に示すように、防食剤導入溝８１が、連結部３３の底壁３４及び側壁３３Ａを、内面側（被覆電線４０と接する面側）から外側に向けて叩き出して形成されている。その結果、防食剤導入溝８１は、連結部３３の底壁３４及び側壁３３Ａにおいて、その板壁が外側に凸に張り出した構成となっている。特に、本実施形態では、防食剤導入溝８１は、図１２に示すように、円弧状に叩き出されており、側壁３３Ａの両側縁に開口した開口部８１Ａが半円状断面を有するものとされている。
【００４０】
このような構成によれば、１枚の金属片からなる連結部３３に叩き出しで防食剤導入溝８１を形成するものとしているため、当該防食剤導入溝８１を容易に形成することができ、コスト削減に寄与することが可能となる。また、防食剤導入溝８１の深さが連結部３３の底壁３４及び側壁３３Ａの厚さによって制限されないため、実施形態１に比してより深く形成することもでき、より大量の防食剤６０を浸入させることが可能となる。
【００４１】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００４２】
（１）上記した各実施形態では、防食剤導入溝、防食剤導入補助溝、及び連結溝が併設された構成を例示したが、本発明によると、少なくとも連結部に防食剤導入溝が設けられた構成であればよい。
【００４３】
（２）上記した各実施形態では、防食剤導入溝及び防食剤導入補助溝は、その両端部がそれぞれ連結部及びインシュレーションバレルの両側縁において開口する構成を例示したが、少なくとも一方の端部が開口する構成としてもよい。この場合にも、防食剤導入溝及び防食剤導入補助溝への防食剤の浸入を許容することが可能となる。
【００４４】
（３）上記した各実施形態では、防食剤導入溝及び防食剤導入補助溝をそれぞれ１つずつ配する構成を例示したが、各溝の数は任意であり、防水効果を高めるために設置数を増大するものとしてもよい。また、各溝の深さも任意である。
【００４５】
（４）上記した各実施形態では、防食剤導入溝及び防食剤導入補助溝の断面形状が矩形状や半円状のものを例示したが、これらの断面形状は例えば台形、多角形など任意の形状とすることができる。
【００４６】
（５）上記した各実施形態では、防食剤導入溝及び防食剤導入補助溝は、被覆電線の軸線方向と略直交する方向に延びるものを例示したが、被覆電線の軸線方向と交わる方向に延びていればよい。これにより、被覆電線の外周部を包み込む形で防食剤導入溝及び防食剤導入補助溝が形成されることとなり、好適な防食壁を形成することが可能となる。
【００４７】
（６）上記した各実施形態では、ワイヤバレルは、両加締め片がそれぞれの側縁を突き合わせつつ、芯線の端末の外周を左右両側から抱き込むハート型に加締められる構成を例示したが、この加締め構成以外にも、例えば両加締め片がそれぞれの側縁を重ね合わせつつ、芯線の端末の外周を左右両側から抱き込む、いわゆるオーバラップ型に加締められるものであってもよい。また、加締め片が１つだけのものであってもよい。
【００４８】
（７）上記した各実施形態では、複数本の金属素線からなる芯線を有する被覆電線を例示したが、例えば、芯線が比較的径の大きい１本の金属素線により形成されているもの、すなわち単芯線型の被覆電線としてもよい。
【００４９】
（８）本発明は、上記各実施形態に例示したアルミ電線に銅合金製の端子金具を接続する構成に限らず、電線の芯線とこれに接続される端子金具とが異種の金属によって形成されている場合全般に広く適用することができる。端子金具の構成材料としては、例えば強度に優れた銅などが好適である。
【符号の説明】
【００５０】
１０…端子金具
３１…ワイヤバレル
３２…インシュレーションバレル
３３…連結部
３５…防食剤導入補助溝
３６…防食剤導入溝
３７…連結溝
４０…被覆電線
４２…芯線
４３…絶縁被覆（被覆）
５０…端子金具付き電線
【図１】
2011192530.tif 000003
【図２】
2011192530.tif 000004
【図３】
2011192530.tif 000005
【図４】
2011192530.tif 000006
【図５】
2011192530.tif 000007
【図６】
2011192530.tif 000008
【図７】
2011192530.tif 000009
【図８】
2011192530.tif 000010
【図９】
2011192530.tif 000011
【図１０】
2011192530.tif 000012
【図１１】
2011192530.tif 000013
【図１２】
2011192530.tif 000014